(57)【要約】【課題】化粧箱５０内にトレイ１０を横から挿入して収納品を箱内に収納する梱包用トレイでは、トレイ上に載せた印刷物３１等がずれたり、トレイ１０を化粧箱５０から取り出すときに箱内に残って作業性を害していた。【解決手段】トレイ１０は真空成形樹脂成型品又はパルプモールドとし、トレイ１０の上面周縁部に化粧箱５０の内面上面に接する突部１２を少なくともトレイ１０の挿入端側に設けた。突部１２は、平面図形が口字状、Ｕ字状、Ｌ字状、一文字状、スポット状又はこれらの組合せとした。【選択図】        図１
2004244083.tif 000002
【特許請求の範囲】
【請求項１】
化粧箱内にトレイを横から挿入して収納品を箱内に収納する梱包用トレイにおいて、トレイの上面周縁部に化粧箱の内面上面に接する突部を少なくともトレイ挿入端側に設けたことを特徴とする梱包用トレイ。
【請求項２】
前記突部は、平面図形が口字状、Ｕ字状、Ｌ字状、一文字状、スポット状又はこれらの組合せであることを特徴とする請求項１記載の梱包用トレイ。
【請求項３】
前記トレイは真空成形樹脂成型品又はパルプモールドであることを特徴とする請求項１又は２記載の梱包用トレイ。
【請求項４】
前記トレイは引出用把手を備えたことを特徴とする請求項１〜３のいずれかに記載の梱包用トレイ。
【請求項５】
化粧箱内にトレイを横から挿入して収納品を箱内に収納する梱包用トレイにおいて、トレイの奥側上端部に折り返し可能な舌片ガイドを備えたことを特徴とする梱包用トレイ。
【発明の詳細な説明】
【０００１】
【発明の属する技術分野】
本発明は、化粧箱内にトレイを横から挿入して収納品を箱内に収納する梱包用トレイに関する。
【０００２】
【従来の技術】
化粧箱内にトレイを横から挿入して収納品を箱内に収納する梱包用トレイは各種製品の化粧箱詰商品の梱包に用いられている。
【０００３】
従来のこの種の化粧箱としては、図１２〜図１４に示すように、化粧箱本体内に側方から内箱を挿入する形態のものがある。図１２は化粧箱５０内にトレイ４０を収納する直前の状態を示すものでトレイ４０内に製品を収納し、その上に印刷物３１や投げ込み３２を載せ、これらを一緒に矢印４１で示すように化粧箱内５０に押込む。図１２に示すトレイ４０は例えば発砲スチロール等からなるトレイ又はダンボール等の組み箱等である。
【０００４】
図１３も同様にダンボール等の組み箱から成るトレイ４０内に製品を収納し、その上に印刷物３１等を載せたものを化粧箱５０内に側方から押し込むものである。図１４はこのようにして梱包された化粧箱の断面図を示すもので、トレイ４０内に製品３３や付属品３４、３５等が収納され、その上に印刷物３１等が載置された状態で化粧箱５０内に収納されている。
【０００５】
このような化粧箱５０は、トレイ４０内の収納ポケット内に製品等を収納してから、この上側に取扱説明書を置いた状態で、これらを化粧箱本体内へ側方から挿入し、最後に化粧箱５０の折込片を折り込みながら、左右のフラップを閉め、さらに蓋を閉める構造となっている。
【０００６】
上記図１２〜図１４に示した構造では、トレイ４０及び印刷物３１等をトレイ４０を掴んで化粧箱５０から取り出す際、印刷物３１や投げ込み３２等が箱の中に脱落するので、作業性が悪いという問題があった。また、図１２に示した構造ではトレイ４０及び印刷物３１等を化粧箱５０内に収納する時、取扱説明書などの印刷物３１等のずれが発生し、収納作業性が悪いという問題があった。
【０００７】
左右両側部分が開口された筒状の化粧箱本体と、製品収納用ポケットを有する内箱とを備え、化粧箱本体の一方の開口部に、仕切板が内側へ折り返された状態で一体的に設けられ、この仕切板と前記化粧箱本体内側面の隙間部分に、説明書収納用ポケットが形成されている製品収納用化粧箱が示されている（例えば、特許文献１参照。）。この技術は、化粧箱本体の説明書収納用ポケットを設けて、ここに取扱説明書を収納し、その後、製品を収納したトレイを化粧箱本体内に挿入する。そして、取扱説明書の落下を防止するため、落下防止片を用いる。
【０００８】
【特許文献１】
実開平５−３４１１９号公報
【０００９】
【発明が解決しようとする課題】
実開平５−３４１１９号公報に開示されている技術は、収納時には印刷物（等）のずれがなく、収納作業性にすぐれているが、落下防止用の仕切り板の曲げが邪魔になってかえって製品を箱から取り出しにくくなってしまっていた。
【００１０】
本発明はこのような複雑な機構を用いることなく、印刷物等の収納、取出しが簡単確実で作業性のすぐれた梱包用トレイを提供することを目的とするものである。
【００１１】
【課題を解決するための手段】
本発明は、上記問題点を解決するためになされたもので、その技術手段は、化粧箱内にトレイを横から挿入して収納品を箱内に収納する梱包用トレイにおいて、トレイの上面周縁部に化粧箱の内面上面に接する突部を少なくともトレイ挿入端側に設けたことを特徴とする梱包用トレイである。突部は梱包用トレイの上端の周縁部に設けた上方に突出した高さの高い部分を言う。この突部は幅の狭い堤防状のものを梱包用トレイの上端周縁部に設ける。
【００１２】
前記突部は、平面図形が口字状、Ｕ字状、Ｌ字状、一文字状、スポット状又はこれらの組合せとするとよい。また、前記トレイは真空成形樹脂成型品又はパルプモールドとする。成形が容易である。前記トレイは引出用把手を備えると化粧箱からの抜出しが容易となり、好ましい。また本発明の別の発明は、化粧箱内にトレイを横から挿入して収納品を箱内に収納する梱包用トレイにおいて、トレイの奥側上端部に折り返し可能な舌片ガイドを備えたことを特徴とする梱包用トレイである。トレイの真空成形又は射出成形時に同時に容易に製造することができる。
【００１３】
【発明の実施の形態】
本発明は、トレイの上面周縁部に突部を付けて、トレイを化粧箱から引き出すときに、印刷物等や投げ込み等が箱内に脱落することなく、トレイと一体となって取り出せることを特徴とする。なお、トレイに、把手をつけて、抜き出しを容易にする。
【００１４】
以下図面を参照して本発明の実施の形態を説明する。図１は化粧箱５０及びその中に側方から挿入するトレイ１０を示した斜視図である。今、トレイ１０を手４３で矢印４２に示す方向に抜出し、トレイ上に載っていた印刷物３１等を上方に取出した状態を示している。トレイ１０は、一体のプラスチック真空成形品から成り、製品等を収容する収納部１１を備え、上面１３からさらに上方に突出した突部１２を備えている。トレイ１０は全体として化粧箱５０内に側方から挿入して化粧箱５０内に収容可能な寸法に成形されている。
【００１５】
図１の例ではトレイ１０の挿入端側にＵ字状に形成された突部１２とトレイ１０の引出側縁にスポット状にサイコロ状に形成された突部１２を示している。トレイ１０の下面から突部１２の頂面までの高さｈは、化粧箱５０の内法の高さ寸法Ｈとほぼ等しく突部１２の頂面は化粧箱５０の天井板５１の下面と接触し、トレイ１０が化粧箱５０に出入するとき、突部１２の頂面が天井板５１の下面と摺動するようになっている。突部１２は少なくともトレイ１０の挿入端側に設けられている。突部１２の内法幅寸法Ｗは印刷物３１等の幅寸法ｗより大きく突部１２のトレイ上面１３から上の高さは少なくとも印刷物３１等の厚さ以上である。突部１２はトレイ１０を化粧箱５０から引出したとき、印刷物３１等を案内して引出し箱内に残留するのを確実に防止する。
【００１６】
また突部１２はトレイ１０を化粧箱５０に挿脱するときガイドとなり、印刷物等のずれを防止し、挿脱の作業性を向上させる。さらに突部１２は薄板射出成形品又は真空成形品であるトレイの補強リブとしての作用を有し、トレイの強度や剛性の向上、化粧箱の圧縮強度の向上等に寄与する。
【００１７】
図２は化粧箱５０内にトレイ１０が収容されて梱包された状態を示す断面図である。トレイ１０は化粧箱５０の天井板５１の下面に突部１２の頂部が当接しており、トレイ１０の上面の突部１２に囲まれた空間５４（印刷物等収納空間）を形成している。そしてトレイ１０を引出すときに、突部１２が印刷物３１等を保持したままトレイ１０が引出されるので、印刷物３１等が化粧箱５０内に残留することはない。
【００１８】
図３はトレイ１０に設けられた突部１２がトレイ１０の挿入端側のみに一文字状に設けられている例を示した。印刷物３１等の関係寸法等に応じて突部１２の形状を定めたものである。
【００１９】
ここでトレイ１０の挿入手順について説明する。トレイ１０の製品等収納部１１に製品等を収納し、トレイ１０の上面１３上に印刷物３１等を載せ、トレイ１０を化粧箱５０内に側方から挿入し、フラップ５２を折曲げてトレイを覆い、蓋５３を立上げてその縁部を天井板５１に係止させる。
【００２０】
図４はトレイ１０に設ける突部１２が小円柱状のものを例示したものである。
【００２１】
図５〜７はトレイ１０の引出し用の把手１４を種々の形に一体に成形したものを示したものである。また図８は突部１２をトレイ１０の周縁のすべてに設けて口の字状に形成したものである。印刷物３１等はその口の字状の突部１２内に収納される。図９に示すように印刷物３１等が小さい場合にはトレイ１０に分割した収納部を形成するように日の字状に突部１２を形成してもよい。
【００２２】
図１０はトレイ１０の挿入側端の上縁に折返し自在な舌片ガイド１５を設けたトレイ１０を示している。この舌片ガイド１５は図１１にトレイ１０が収納された化粧箱５０の断面図に示すように、トレイ１０の上面の一部を覆うように曲げて折り返してトレイ１０を箱内に挿入するものである。このようにすると、舌片ガイド１５は天井板５１の下面に沿って印刷物３１等を確実に保持したままトレイ１０挿脱が可能となり、印刷物３１等が１枚の小片シートなどを含む場合においても、印刷物３１等が化粧箱５０内に残留するのを確実に防止することができる。
【００２３】
【発明の効果】
本発明の梱包用トレイは以上のように構成されているので、トレイを化粧箱内に挿脱するとき、印刷物等や投げ込み等が整列を乱したり箱内に脱落することなく一体に挿脱することができ、作業性にすぐれる。
【００２４】
また本発明の樹脂トレイは、真空成形品又は射出成形品等であるから、容易に複雑な形状をもつ薄板状の製品を製造することができ、本発明に係る突部形状を付与するとこれらが薄板製品の補強リブの作用を生じ、トレイの剛性が増し、強度が向上し、形状が安定する。
【００２５】
従って、このようなトレイを収納して梱包した化粧箱の圧縮強度の向上に寄与するという優れた効果を奏する。
【００２６】
また、ダンボール等の紙を用いたトレイに比べ、複雑な形状のトレイを容易に形成することができ、組立作業性に優れ、部品点数を大幅に削減することができ、軽量である等の特性を有し、製造コスト、物流コストが大幅に低下する。
【図面の簡単な説明】
【図１】実施例のトレイを化粧箱と共に示す斜視図である。
【図２】実施例の化粧箱収納状態を示す断面図である。
【図３】トレイの実施例を示す斜視図である。
【図４】トレイの実施例を示す斜視図である。
【図５】トレイの実施例を示す斜視図である。
【図６】トレイの実施例を示す斜視図である。
【図７】トレイの実施例を示す斜視図である。
【図８】トレイの実施例を示す斜視図である。
【図９】トレイの実施例を示す斜視図である。
【図１０】トレイの実施例を示す斜視図である。
【図１１】実施例の収納状態を示す断面図である。
【図１２】従来技術の説明図である。
【図１３】従来技術の説明図である。
【図１４】従来技術の断面図である。
【符号の説明】
１０    トレイ
１１    製品等収納部
１２    突部
１３    上面
１４    把手
１５    舌片ガイド
３１    印刷物
３２    投げ込み
３３    製品
３４、３５    付属品
４０    トレイ
４１、４２    矢印
４３    手
５０    化粧箱
５１    天井板
５２    フラップ
５３    蓋
５４    空間
【図１】
2004244083.tif 000003
【図２】
2004244083.tif 000004
【図３】
2004244083.tif 000005
【図４】
2004244083.tif 000006
【図５】
2004244083.tif 000007
【図６】
2004244083.tif 000008
【図７】
2004244083.tif 000009
【図８】
2004244083.tif 000010
【図９】
2004244083.tif 000011
【図１０】
2004244083.tif 000012
【図１１】
2004244083.tif 000013
【図１２】
2004244083.tif 000014
【図１３】
2004244083.tif 000015
【図１４】
2004244083.tif 000016